(57)【要約】【課題】本発明は、ＩＣタグ付き可逆性感熱記録媒体を高速で発行することが可能な可逆性感熱記録媒体の処理システム及び該可逆性感熱記録媒体の処理システムに用いることが可能な可逆性感熱記録媒体の処理装置を提供することを目的とする。【解決手段】可逆性感熱記録媒体の処理システムは、ＩＣタグを有する可逆性感熱記録媒体を処理し、ＩＣタグに書き込まれた情報を消去する情報消去手段１１と、可逆性感熱記録媒体を洗浄する洗浄手段１２と、可逆性感熱記録媒体に形成された画像を消去する画像消去手段１３を有する第一の処理装置１０と、ＩＣタグに情報を書き込む情報書き込み手段２１と、可逆性感熱記録媒体に画像を形成する画像形成手段２２を有する第二の処理装置２０を有する。【選択図】図１
2008146488.tif 000002
【特許請求の範囲】
【請求項１】
ＩＣタグを有する可逆性感熱記録媒体を処理する可逆性感熱記録媒体の処理システムであって、
前記ＩＣタグに書き込まれた情報を消去する情報消去手段と、前記可逆性感熱記録媒体を洗浄する洗浄手段と、前記可逆性感熱記録媒体に形成された画像を消去する画像消去手段を有する第一の処理装置と、
前記ＩＣタグに情報を書き込む情報書き込み手段と、前記可逆性感熱記録媒体に画像を形成する画像形成手段を有する第二の処理装置を有することを特徴とする可逆性感熱記録媒体の処理システム。
【請求項２】
前記洗浄手段は、前記ＩＣタグに書き込まれた情報が消去された可逆性感熱記録媒体を洗浄することを特徴とする請求項１に記載の可逆性感熱記録媒体の処理システム。
【請求項３】
前記情報消去手段は、前記洗浄された可逆性感熱記録媒体のＩＣタグに書き込まれた情報を消去することを特徴とする請求項１に記載の可逆性感熱記録媒体の処理システム。
【請求項４】
前記可逆性感熱記録媒体は、コード情報を有し、
前記第一の処理装置は、該コード情報を読み取るコード情報読み取り手段をさらに有することを特徴とする請求項１乃至３のいずれか一項に記載の可逆性感熱記録媒体の処理システム。
【請求項５】
前記コード情報読み取り手段は、前記洗浄された可逆性感熱記録媒体のコード情報を読み取ることを特徴とする請求項４に記載の可逆性感熱記録媒体の処理システム。
【請求項６】
ＩＣタグを有する可逆性感熱記録媒体を処理する可逆性感熱記録媒体の処理装置であって、
前記ＩＣタグに書き込まれた情報を消去する情報消去手段と、前記可逆性感熱記録媒体を洗浄する洗浄手段と、前記可逆性感熱記録媒体に形成された画像を消去する画像消去手段を有することを特徴とする可逆性感熱記録媒体の処理装置。
【発明の詳細な説明】
【技術分野】
【０００１】
本発明は、可逆性感熱記録媒体の処理システム及び処理装置に関する。
【背景技術】
【０００２】
従来、電子供与性呈色性化合物（以下、発色剤又はロイコ染料ともいう）と電子受容性化合物（以下、顕色剤ともいう）の間の発色反応を利用した感熱記録媒体は、広く知られている。具体的には、ＯＡ化の進展と共にファクシミリ、ワードプロセッサ、科学計測機等の出力用紙として、また、最近では、プリペイドカード、ポイントカード等の磁気感熱カードとしても広く使用されている。
【０００３】
一方、ゴミ問題や森林破壊問題を背景に、書き換えが可能な可逆性感熱記録媒体が望まれており、様々な可逆性感熱記録媒体が提案されている。例えば、特許文献１に開示されている可逆性感熱記録媒体では、顕色剤である特定のフェノール化合物と、発色剤であるロイコ染料を組み合わせて、加熱温度および／または加熱後の冷却速度の違いにより、相対的に発色した状態と消色した状態を形成することができる。
【０００４】
可逆性感熱記録媒体は、製造業分野の工程管理や工程指示、倉庫関連分野の貨物管理や在庫管理、医療関連分野の業務管理、商品管理等、あらゆる産業分野で用いられているが、現場での相互情報の一致性を確保するために、ＩＣタグと可逆性感熱記録媒体を複合したＩＣタグ付き可逆性感熱記録媒体が用いられている。このとき、製造業分野において、作業者は、油が付着した手でＩＣタグ付き可逆性感熱記録媒体（工程指示書）を取り扱うことがあるため、ＩＣタグ付き可逆性感熱記録媒体に手の汚れ、その他の油汚れ等が付着しやすい。このため、従来は、ＩＣタグ付き可逆性感熱記録媒体に付着した汚れは、汚れが付着した都度、布拭きして取り除かれていた。しかしながら、布拭きが煩わしいことと、高価な人件費を必要とすることが問題となっている。そこで、ＩＣタグ付き可逆性感熱記録媒体は、作業終了後に、洗浄機を用いて、オフラインで一括洗浄された後、作業開始直前に、ネットワークを介して書き換えられている。しかしながら、ＩＣタグ付き可逆性感熱記録媒体を書き換える際に、ＩＣタグに書き込まれた情報を書き換えると共に、可逆性感熱記録媒体に形成された画像を書き換える。すなわち、「ＩＣタグに書き込まれた情報の消去」、「ＩＣタグへの情報の書き込み」、「可逆性感熱記録媒体に形成された画像の消去」及び「可逆性感熱記録媒体への画像の形成」という４つの工程がある。このため、生産開始直前に大量の工程指示書を発行しなければならない分野では、工程指示書の発行に要する時間を短縮することが困難である。したがって、ＩＣタグ付き可逆性感熱記録媒体を高速で発行する必要がある分野には不向きであるという問題がある。
【特許文献１】特許第３５５７０７６号公報
【発明の開示】
【発明が解決しようとする課題】
【０００５】
本発明は、上記の従来技術が有する問題に鑑み、ＩＣタグ付き可逆性感熱記録媒体を高速で発行することが可能な可逆性感熱記録媒体の処理システム及び該可逆性感熱記録媒体の処理システムに用いることが可能な可逆性感熱記録媒体の処理装置を提供することを目的とする。
【課題を解決するための手段】
【０００６】
請求項１に記載の発明は、ＩＣタグを有する可逆性感熱記録媒体を処理する可逆性感熱記録媒体の処理システムであって、前記ＩＣタグに書き込まれた情報を消去する情報消去手段と、前記可逆性感熱記録媒体を洗浄する洗浄手段と、前記可逆性感熱記録媒体に形成された画像を消去する画像消去手段を有する第一の処理装置と、前記ＩＣタグに情報を書き込む情報書き込み手段と、前記可逆性感熱記録媒体に画像を形成する画像形成手段を有する第二の処理装置を有することを特徴とする。
【０００７】
請求項２に記載の発明は、請求項１に記載の可逆性感熱記録媒体の処理システムにおいて、前記洗浄手段は、前記ＩＣタグに書き込まれた情報が消去された可逆性感熱記録媒体を洗浄することを特徴とする。
【０００８】
請求項３に記載の発明は、請求項１に記載の可逆性感熱記録媒体の処理システムにおいて、前記情報消去手段は、前記洗浄された可逆性感熱記録媒体のＩＣタグに書き込まれた情報を消去することを特徴とする。
【０００９】
請求項４に記載の発明は、請求項１乃至３のいずれか一項に記載の可逆性感熱記録媒体の処理システムにおいて、前記可逆性感熱記録媒体は、コード情報を有し、前記第一の処理装置は、該コード情報を読み取るコード情報読み取り手段をさらに有することを特徴とする。
【００１０】
請求項５に記載の発明は、請求項４に記載の可逆性感熱記録媒体の処理システムにおいて、前記コード情報読み取り手段は、前記洗浄された可逆性感熱記録媒体のコード情報を読み取ることを特徴とする。
【００１１】
請求項６に記載の発明は、ＩＣタグを有する可逆性感熱記録媒体を処理する可逆性感熱記録媒体の処理装置であって、前記ＩＣタグに書き込まれた情報を消去する情報消去手段と、前記可逆性感熱記録媒体を洗浄する洗浄手段と、前記可逆性感熱記録媒体に形成された画像を消去する画像消去手段を有することを特徴とする。
【発明の効果】
【００１２】
本発明によれば、ＩＣタグ付き可逆性感熱記録媒体を高速で発行することが可能な可逆性感熱記録媒体の処理システム及び該可逆性感熱記録媒体の処理システムに用いることが可能な可逆性感熱記録媒体の処理装置を提供することができる。
【発明を実施するための最良の形態】
【００１３】
次に、本発明を実施するための最良の形態を図面と共に説明する。
【００１４】
従来、ＩＣタグ付き可逆性感熱記録媒体を高速に発行できない原因は、「ＩＣタグに書き込まれた情報の消去」、「ＩＣタグへの情報の書き込み」、「可逆性感熱記録媒体に形成された画像の消去」及び「可逆性感熱記録媒体への画像の形成」という４つの工程に時間を要するためである。したがって、ＩＣタグに書き込まれた情報と、可逆性感熱記録媒体に形成された画像を予め消去しておけば、ＩＣタグ付き可逆性感熱記録媒体を発行する際に、ＩＣタグに情報を書き込むと共に、可逆性感熱記録媒体に画像を形成すればよい。すなわち、従来技術における４つの工程のうち、オフラインで事前に「ＩＣタグに書き込まれた情報の消去」及び「可逆性感熱記録媒体に形成された画像の消去」という２つの工程を実施しておけば、ライン上では、「ＩＣタグへの情報の書き込み」及び「可逆性感熱記録媒体への画像の形成」という２つの工程を実施することになる。このため、ＩＣタグ付き可逆性感熱記録媒体を高速で発行することができる。すなわち、本発明の可逆性感熱記録媒体の処理システムは、ＩＣタグ付き可逆性感熱記録媒体のＩＣタグに書き込まれた情報を消去する情報消去手段と、ＩＣタグ付き可逆性感熱記録媒体を洗浄する洗浄手段と、ＩＣタグ付き可逆性感熱記録媒体に形成された画像を消去する画像消去手段を有する第一の処理装置と、ＩＣタグ付き可逆性感熱記録媒体のＩＣタグに情報を書き込む情報書き込み手段と、ＩＣタグ付き可逆性感熱記録媒体に画像を形成する画像形成手段を有する第二の処理装置を有する。
【００１５】
図１に、本発明の可逆性感熱記録媒体の処理システムの一例を示す。図１に示す処理システムは、第一の処理装置１０及び第二の処理装置２０からなり、第一の処理装置１０は、ＩＣタグ付き可逆性感熱記録媒体のＩＣタグに書き込まれた情報を消去する情報消去手段１１と、ＩＣタグに書き込まれた情報が消去されたＩＣタグ付き可逆性感熱記録媒体を洗浄する洗浄手段１２と、洗浄されたＩＣタグ付き可逆性感熱記録媒体に形成された画像を消去する画像消去手段１３を有する。また、第二の処理装置２０は、第一の処理装置１０で処理されたＩＣタグ付き可逆性感熱記録媒体のＩＣタグに情報を書き込む情報書き込み手段２１と、ＩＣタグに情報が書き込まれたＩＣタグ付き可逆性感熱記録媒体に画像を形成する画像形成手段２２を有する。このとき、第二の処理装置２０としては、従来用いられているＩＣタグに書き込まれた情報を消去する情報消去手段及び可逆性感熱記録媒体に形成された画像を消去する画像消去手段をさらに有する装置を用いてもよい。
【００１６】
情報消去手段１１としては、公知のＲＦＩＤリーダーライターを用いることができる。ＲＦＩＤリーダーライターは、ＩＣタグに書き込まれた情報を消去して初期化するだけでなく、情報を読み取ることができるので、ＩＣタグが破損していないか確認することができる。
【００１７】
洗浄手段１２は、ＩＣタグに書き込まれた情報が消去されたＩＣタグ付き可逆性感熱記録媒体を、水を含有する洗浄液を用いて洗浄するため、洗浄後に残存した水がＩＣタグに書き込まれた情報の読み取り及び消去に悪影響を及ぼすことを防止することができる。このため、洗浄手段１２は、ＩＣタグの破損を抑制すると共に、ＩＣタグ付き可逆性感熱記録媒体の表裏面を洗浄することができれば、特に限定されないが、例えば、特開平０９−１３６４７１号公報、特開２００６−１０２６７３号公報に開示されている洗浄手段を用いることができる。
【００１８】
画像消去手段１３は、ＩＣタグ付き可逆性感熱記録媒体を加熱することにより、画像を消去することができれば、特に限定されない。このとき、画像消去手段１３は、洗浄されたＩＣタグ付き可逆性感熱記録媒体を加熱するため、洗浄に用いた水が残存したＩＣタグ付き可逆性感熱記録媒体を乾燥させることができる。これにより、洗浄後に残存した水が後述するＩＣタグに書き込まれた情報の読み取り及び書き込みに悪影響を及ぼすことを抑制することができる。
【００１９】
情報書き込み手段２１としては、情報消去手段１１と同様に、公知のＲＦＩＤリーダーライターを用いることができる。ＲＦＩＤリーダーライターは、ＩＣタグに情報を書き込むだけでなく、情報を読み取ることができるので、ＩＣタグが破損していないか確認することができる。
【００２０】
画像形成手段２２は、ＩＣタグ付き可逆性感熱記録媒体を加熱することにより、画像を形成することができれば、特に限定されない。
【００２１】
なお、本実施形態では、情報書き込み手段２１を用いて、ＩＣタグに情報を書き込んだ後に、画像形成手段２２を用いて、ＩＣタグ付き可逆性感熱記録媒体に画像を形成しているが、画像形成手段２２を用いて、ＩＣタグ付き可逆性感熱記録媒体に画像を形成した後に、情報書き込み手段２１を用いて、ＩＣタグに情報を書き込んでもよい。
【００２２】
また、ＩＣタグ付き可逆性感熱記録媒体は、バーコード、ＱＲコード等のコード情報を有していてもよく、この場合、第一の処理装置１０は、コード情報を読み取るコード情報読み取り手段をさらに有することが好ましい。このとき、コード情報読み取り手段としては、公知のバーコードリーダー、ＱＲコードリーダー等の光学式読み取り装置を用いることができる。さらに、第一の処理装置１０は、ＩＣタグに書き込まれた情報と、コード情報を照合する手段を有することが好ましい。
【００２３】
また、コード情報読み取り手段は、洗浄されたＩＣタグ付き可逆性感熱記録媒体のコード情報を読み取ることが好ましい。これにより、油汚れ等がコード情報の読み取りに悪影響を及ぼすことを抑制することができる。
【００２４】
図２に、本発明の可逆性感熱記録媒体の処理システムの他の例を示す。図２に示す処理システムは、第一の処理装置１０及び第二の処理装置２０からなり、第一の処理装置１０は、ＩＣタグ付き可逆性感熱記録媒体を洗浄する洗浄手段１２と、洗浄されたＩＣタグ付き可逆性感熱記録媒体のＩＣタグに書き込まれた情報を消去する情報消去手段１１と、ＩＣタグに書き込まれた情報が消去されたＩＣタグ付き可逆性感熱記録媒体に形成された画像を消去する画像消去手段１３を有する。また、第二の処理装置２０は、第一の処理装置１０で処理されたＩＣタグ付き可逆性感熱記録媒体のＩＣタグに情報を書き込む情報書き込み手段２１と、ＩＣタグに情報が書き込まれたＩＣタグ付き可逆性感熱記録媒体に画像を形成する画像形成手段２２を有する。このとき、第二の処理装置２０としては、従来用いられているＩＣタグに書き込まれた情報を消去する情報消去手段及び可逆性感熱記録媒体に形成された画像を消去する画像消去手段をさらに有する装置を用いてもよい。
【００２５】
情報消去手段１１としては、公知のＲＦＩＤリーダーライターを用いることができる。ＲＦＩＤリーダーライターは、ＩＣタグに書き込まれた情報を消去して初期化するだけでなく、情報を読み取ることができるので、ＩＣタグが破損していないか確認することができる。
【００２６】
洗浄手段１２は、ＩＣタグの破損を抑制すると共に、ＩＣタグ付き可逆性感熱記録媒体の表裏面を、水を含有する洗浄液を用いて洗浄すれば、特に限定されない。しかしながら、洗浄後に水が残存すると、ＩＣタグに書き込まれた情報の読み取り及び消去に悪影響を及ぼすことがある。このため、洗浄手段１２は、洗浄後に水が残存しないことが好ましく、例えば、特開２００６−１０２６７３号公報に開示されている洗浄手段を用いることができる。また、特開平０９−１３６４７１号公報に開示されているように、洗浄手段の後に、乾燥手段を設けてもよい。
【００２７】
画像消去手段１３は、ＩＣタグ付き可逆性感熱記録媒体を加熱することにより、画像を消去することができれば、特に限定されない。このとき、画像消去手段１３は、ＩＣタグ付き可逆性感熱記録媒体を加熱するため、洗浄に用いた水が残存したＩＣタグ付き可逆性感熱記録媒体を乾燥させることができる。これにより、洗浄後に残存した水が後述するＩＣタグに書き込まれた情報の読み取り及び書き込みに悪影響を及ぼすことを抑制することができる。
【００２８】
情報書き込み手段２１としては、情報消去手段１１と同様に、公知のＲＦＩＤリーダーライターを用いることができる。ＲＦＩＤリーダーライターは、ＩＣタグに情報を書き込むだけでなく、情報を読み取ることができるので、ＩＣタグが破損していないか確認することができる。
【００２９】
画像形成手段２２は、ＩＣタグ付き可逆性感熱記録媒体を加熱することにより、画像を形成することができれば、特に限定されない。
【００３０】
なお、本実施形態では、情報書き込み手段２１を用いて、ＩＣタグに情報を書き込んだ後に、画像形成手段２２を用いて、ＩＣタグ付き可逆性感熱記録媒体に画像を形成しているが、画像形成手段２２を用いて、ＩＣタグ付き可逆性感熱記録媒体に画像を形成した後に、情報書き込み手段２１を用いて、ＩＣタグに情報を書き込んでもよい。
【００３１】
また、ＩＣタグ付き可逆性感熱記録媒体は、バーコード、ＱＲコード等のコード情報を有していてもよく、この場合、第一の処理装置１０は、コード情報を読み取るコード情報読み取り手段をさらに有することが好ましい。このとき、コード情報読み取り手段としては、公知のバーコードリーダー、ＱＲコードリーダー等の光学式読み取り装置を用いることができる。さらに、第一の処理装置１０は、ＩＣタグに書き込まれた情報と、コード情報を照合する手段を有することが好ましい。
【００３２】
また、コード情報読み取り手段は、洗浄されたＩＣタグ付き可逆性感熱記録媒体のコード情報を読み取ることが好ましい。これにより、油汚れ等がコード情報の読み取りに悪影響を及ぼすことを抑制することができる。
【実施例１】
【００３３】
図３に、図１に示す処理システムで用いられる第一の処理装置を示す。図３に示す第一の処理装置において、上下に移動可能な受け板３１に、画像形成領域が上面になるように載置されたＩＣタグ付きリライタブルシートは、送りローラー３２ａにより取り出され、送りローラー３２ｂ及び３２ｃに圧接した分離板３３により１枚ずつ分離して搬送される。次に、送りローラー３２ｄにより搬送されたＩＣタグ付きリライタブルシートは、ＲＦＩＤリーダーライター３４により、ＩＣタグに書き込まれた情報が読み取られた後に、情報が消去されて初期化される。このとき、ＩＣタグ付きリライタブルシートにバーコード、ＱＲコード等のコード情報が印字されている場合は、光学式読み取り装置３５により、コード情報が読み取られ、ＲＦＩＤリーダーライター３４により読み取られた情報と照合される。次に、送りローラー３２ｅにより搬送されたＩＣタグ付きリライタブルシートは、洗浄ローラー３６により洗浄される。このとき、洗浄ローラー３６には、洗浄液供給ローラー３７によりタンク３８内の洗浄液が供給される。次に、ＩＣタグ付きリライタブルシートは、吸水性を有する乾燥ローラー３９により水分が吸い取られ、乾燥ファン４０により乾燥される。次に、送りローラー３２ｆにより搬送されたＩＣタグ付きリライタブルシートは、消去ヘッドバー／ローラー４１により加熱され、画像形成領域に形成された画像が消去された後、送りローラー３２ｇにより搬送される。さらに、送りローラー３２ｈにより搬送されたＩＣタグ付きリライタブルシートは、仕分けガイド４２により再利用可能品と不良品に仕分けられる。再利用可能品は、送りローラー３２ｉにより良品排出箱４３に搬送される。また、不良品は、マーキング装置４４によりマーキングされた後、送りローラー３２ｊにより不良品排出箱４４に搬送されてもよい。
【００３４】
なお、本実施例において、ＲＦＩＤリーダーライター３４により、ＩＣタグに書き込まれた情報が読み取られた際に不良品であると判明したＩＣタグ付きリライタブルシートについては、洗浄されずに排出されるように制御してもよい。
【００３５】
図１に示す処理システムで用いられる第二の処理装置としては、ＩＣタグに情報を書き込むことができ、かつ可逆性感熱記録媒体に画像を形成することができる装置であれば、特に限定されず、例えば、エルシステム社製プリンタやＲＳＰ２プリンタ（パナソニック社製）を用いることができる。
【実施例２】
【００３６】
図４に、図２に示す処理システムで用いられる第一の処理装置を示す。図４に示す第一の処理装置において、上下に移動可能な受け板３１に、画像形成領域が上面になるように載置されたＩＣタグ付きリライタブルシートは、送りローラー３２ａにより取り出され、送りローラー３２ｂ及び３２ｃに圧接した分離板３３により１枚ずつ分離して搬送される。次に、送りローラー３２ｅにより搬送されたＩＣタグ付きリライタブルシートは、洗浄ローラー３６により洗浄される。このとき、洗浄ローラー３６には、洗浄液供給ローラー３７によりタンク３８内の洗浄液が供給される。次に、ＩＣタグ付きリライタブルシートは、吸水性を有する乾燥ローラー３９により水分が吸い取られ、乾燥ファン４０により乾燥される。次に、送りローラー３２ｄにより搬送されたＩＣタグ付きリライタブルシートは、ＲＦＩＤリーダーライター３４により、ＩＣタグに書き込まれた情報が読み取られた後に、情報が消去されて初期化される。このとき、ＩＣタグ付きリライタブルシートにバーコード、ＱＲコード等のコード情報が印字されている場合は、光学式読み取り装置３５により、コード情報が読み取られ、ＲＦＩＤリーダーライター３４により読み取られた情報と照合される。次に、送りローラー３２ｆにより搬送されたＩＣタグ付きリライタブルシートは、消去ヘッドバー／ローラー４１により加熱され、画像形成領域に形成された画像が消去された後、送りローラー３２ｇにより搬送される。さらに、送りローラー３２ｈにより搬送されたＩＣタグ付きリライタブルシートは、仕分けガイド４２により再利用可能品と不良品に仕分けられる。再利用可能品は、送りローラー３２ｉにより良品排出箱４３に搬送される。また、不良品は、マーキング装置４４によりマーキングされた後、送りローラー３２ｊにより不良品排出箱４４に搬送されてもよい。
【００３７】
なお、本実施例において、ＲＦＩＤリーダーライター３４により、ＩＣタグに書き込まれた情報が読み取られた際に不良品であると判明したＩＣタグ付きリライタブルシートについては、画像が消去されずに排出されるように制御してもよい。
【００３８】
図２に示す処理システムで用いられる第二の処理装置としては、ＩＣタグに情報を書き込むことができ、かつ可逆性感熱記録媒体に画像を形成することができる装置であれば、特に限定されず、例えば、エルシステム社製プリンタやＲＳＰ２プリンタ（パナソニック社製）を用いることができる。
【図面の簡単な説明】
【００３９】
【図１】本発明の可逆性感熱記録媒体の処理システムの一例を示す図である。
【図２】本発明の可逆性感熱記録媒体の処理システムの他の例を示す図である。
【図３】実施例１の第一の処理装置を示す図である。
【図４】実施例２の第一の処理装置を示す図である。
【符号の説明】
【００４０】
１０    第一の処理装置
１１    情報消去手段
１２    洗浄手段
１３    画像消去手段
２０    第二の処理装置
２１    情報書き込み手段
２２    画像形成手段
【図１】
2008146488.tif 000003
【図２】
2008146488.tif 000004
【図３】
2008146488.tif 000005
【図４】
2008146488.tif 000006